(57)【要約】【課題】入賞が連続して大量のメダルが払出された場合に、メダル受皿からメダルが溢れたり、またメダル受皿がメダルで一杯になると、メダル受皿のメダル排出口からメダルが排出されず、メダル詰まりを起して遊技機がエラー状態となるため、遊技者は手でメダルを少量づつ掴み取って近傍に置かれたドル箱にメダルを移す作業を行わなければならず、煩わしいという問題があった。【解決手段】メダル受皿に移動可能な移動板を設けることにより、メダル受皿がメダルで一杯になった場合に、遊技者は移動板を移動させ、開口部にドル箱を密接させて一気にメダルを掻き出すことができる。【選択図】        図３
2004160107.tif 000002
【特許請求の範囲】
【請求項１】
外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段の抽選結果が役に当選している場合に、遊技者にメダルを払い出すメダル払出し手段とを備えた遊技機において、
前記メダル払い出し手段はメダル排出口とメダル受皿を備え、
前記メダル受皿は、箱状の少なくとも一つの面を開閉自在に移動可能な開閉手段を備えていることを特徴とする遊技機。
【請求項２】
前記開閉機構手段は、移動させる面に把持部を有する移動板と、前記移動板を所定の方向にスライドさて挿着させるための案内溝を、メダル受皿の対向する二つの面の縁端部にそれぞれ設けたことを特徴とする請求項１に記載の遊技機。
【請求項３】
前記開閉手段の前記移動板は、左右方向に移動させることを特徴とする請求項２に記載の遊技機。
【請求項４】
前記開閉手段の前記移動板は、上下方向に移動させることを特徴とする請求項２に記載の遊技機。
【請求項５】
前記開閉機構手段は、前記移動板の一縁端と前記一縁端と対応するメダル受皿側の一縁端を蝶着する取付け部を有することを特徴とする請求項１に記載の遊技機。
【請求項６】
前記開閉機構手段は、前記移動板を左右いずれかの方向に摺動して収納する収納部を、前記メダル受皿が隣接する遊技機本体の一部に設けたことを特徴とする請求項１に記載の遊技機。
【請求項７】
前記収納部は、前記移動板を摺動させるための案内溝を、前記収納部の上縁端及び下縁端に設けたことを特徴とする請求項６に記載の遊技機。
【請求項８】
前記遊技機は、前記複数のリールと前記複数のリール停止手段とを備えた操作パネル部が、水平面状に設けられたテーブル式スロットマシンであることを特徴とする請求項１から請求項７のいずれか１項に記載の遊技機。
【発明の詳細な説明】
【０００１】
【発明の属する技術分野】
本発明は、図柄が配列された複数のリールを回転表示し、遊技者のリール停止ボタン操作によって、すべてのリールの回転が停止した時に現れる図柄の組み合わせに基づいて入賞が決定され、所定の払出しが行われるスロットマシンに代表される遊技機に関する。
【０００２】
【従来の技術】
従来のスロットマシンに代表される遊技機は、遊技機正面の表示窓内に、外周に図柄が配列された３個の回転リールを備えており、外周に配列された図柄は遊技中に遊技者が図柄を目視しやすいように、各リール内側に設けられたランプ又はＬＥＤ（以下バックライトという）によって後面から照らされている。
【０００３】
遊技者が、メダル投入口にメダルを投入し、スタートレバーを操作すると、各リールは回転を開始してゲームがスタートする。各リールが一斉に回転を始めると、表示窓には図柄が移動して表示される。
【０００４】
遊技者が移動表示される図柄を見ながら各リールに対応する停止ボタンを操作すると、夫々のリールが停止し、有効ライン上にいずれかの図柄が停止する。
有効ラインは５本設けられており、メダルの投入枚数が１枚、２枚、３枚と増えるにつれて、有効となるラインの本数も１本、３本、５本と増えるようになっている。その結果、有効となっているライン上に所定の図柄組み合わせが揃うと入賞となり、遊技機本体のホッパーからメダル受皿の奥に設けられたメダル排出口を通してメダル受皿にメダルの払出しが行われる。
【０００５】
遊技者は、役に対応する図柄を有効となっているライン上に停止させるように停止ボタンを操作する。
そして有効となっているライン上に当選役に対応する図柄を揃えることができれば、その役に対応する枚数のメダルの払出しを受けることができる。また、役に対応する図柄を揃えることができなければ投入したメダルを失うことになる。
【０００６】
入賞役に対応して所定のメダルの払出し枚数が決められており、小役と呼ばれる役に入賞した場合は、通常数枚から十数枚のメダルが払い出され、ボーナス役に入賞し、所定のボーナスゲームを消化すると数百枚のメダルが払いだされる。更にこうしたボーナス役が続いて発生する場合もあり、そうした場合には遊技者は大量のメダルを獲得することができる。
【０００７】
従来においては、メダル受皿は遊技機下部に固定され、メダル排出口から払出されたメダルをその内部に溜めるために上方が開口した略矩形に形成されている。
【０００８】
【発明が解決しようとする課題】
しかしながら、上記従来の遊技機では、メダル受皿が遊技機本体に固定され、前後左右壁が一体形成された箱状であるため、入賞が連続して大量のメダルが払出され、メダル受皿がメダルで一杯になると、メダル受皿のメダル排出口からメダルが排出されず、メダル詰まりを起して遊技機がエラー状態となるという問題があった。そのため、ある程度メダルが溜まると、遊技者は手でメダルを少量づつ掴み取って近傍に置かれたドル箱にメダルを移す作業を行わなければならず、煩わしいという問題があった。
【０００９】
本発明は、上記の問題を解決するためになされたものであり、その目的は、メダル受皿に一杯になったメダルを容易にドル箱に移すことができるメダル受皿を提供し、かつこのようなメダル受皿を用いた遊技機を提供する事にある。
【００１０】
【課題を解決するための手段】
上記課題を解決するため、本発明においては、外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段の抽選結果が役に当選している場合に、メダル払出し制御手段によって遊技者にメダルを払出すメダル払出し手段とを備えた遊技機において、前記メダル払出し手段はメダル排出口とメダル受皿を備え、前記メダル受皿は、箱状の少なくとも一つの面を開閉自在に移動可能な開閉手段が設けられている。
【００１１】
本構成によれば、前記開閉機構手段は、移動させる面に把持部を有する移動板と、前記移動板を所定の方向にスライドさて挿着させるための案内溝を、メダル受皿の対向する二つの面の縁端部にそれぞれ設け、左右方向または上下方向のいずれかに移動させることができるようにしたことを特徴とする。
【００１２】
また、前記開閉機構手段は、移動させる面に把持部を有する移動板と、前記移動板の一縁端と前記一縁端と対応するメダル受皿の側の一縁端を蝶着する取付け部を有することを特徴とする。
【００１３】
また、前記開閉機構手段は、移動させる面に把持部を有する移動板と、前記移動板を左右いずれかの方向摺動して収納する収納部を、前記メダル受皿が隣接する遊技機本体の一部に設け、更に前記収納部には、前記移動板を摺動させるための案内溝を前記収納部の上縁端及び下縁端に設けたたことを特徴とする。
【００１４】
【発明の実施の形態】以下、本発明の好ましい実施形態を、図面に基づいて説明する。図１は、本発明の実施に係る遊技機を示す斜視図である。図２は、本発明の実施に係る遊技機の正面図（ａ）及び側面図（ｂ）である。図３は、本発明の第一の実施形態に係る斜視図、図４は、本発明の第二の実施形態に係る斜視図、図５は、本発明の第三の実施形態に係る斜視図である。
【００１５】
図１及び図２に示すように、本発明に係る遊技機１は、図柄を表示するリール２と、該リールを観察するための表示窓３、該リールを回転させるリール回転装置４と、前記リールの回転を停止させる停止ボタン５と、メダル投入口６と、メダル払出機７と、リール制御基板８と、払出制御基板９と、メダル受皿１３と、該メダル受皿の後面に設けられ、メダル払出機７から払出されるメダルを排出するメダル払出口１４を少なくとも構成の主要部として備え、前記リール２と前記停止ボタン５とを備えた操作パネル部１０が、水平面状に設けられている。
【００１６】
本実施例では、前記操作パネル部１０に張出部１１を設けている。遊技機上部には、遊技機の名称や遊技内容等を記した装飾パネル部１２を備える。遊技時の利便性を考慮して、メダル受皿１３は前記操作パネル部１０に隣接して設けられている。
【００１７】
リール２は、リールユニット（図示せず）として構成され、各リール毎にリール駆動手段の一部であるステッピングモータ（図示せず）が連結されており、このステッピングモータの駆動によって各リールを回転させ、表示窓３内に各リールを移動表示させる。各リール２の内部には３個のランプケース（図示せず）がそれぞれ設けられており、各ランプケース内にバックライト（図示せず）が取り付けられている。各バックライトはランプ駆動回路（図示せず）を介して個別に点灯制御され、各リール毎に３個ずつ図柄を下から照らすことができる。
【００１８】
表示窓３には、有効ラインが横方向に３本（図示せず）と、斜め方向に２本（図示せず）の合計５本のラインが表示されるようになっている。各リールが順次停止し、この有効ライン上のいずれかに特定の図柄が揃った場合に入賞となり、所定のメダルの払出しが行われる。
【００１９】
有効ライン数は、メダル投入口６から投入されたメダル枚数、或いは、クレジットメダル表示部（図示せず）にメダルがクレジットされている場合には、ＢＥＴスイッチ（図示せず）の押下操作によって設定されたメダル投入数に応じて有効本数が異なる。例えば１枚のメダルが投入された場合は、ＢＥＴ表示ランプ１５ａが点灯し、１本の有効ラインが表示され、２枚のメダル投入があった場合は、ＢＥＴ表示ランプ１５ｂが点灯し、３本の有効ラインが表示さる。そして３枚のメダルが投入されるとＢＥＴ表示ランプ１５ｂｃが点灯して、５本全ての有効ラインが表示される。
【００２０】
スロットマシン１の操作パネル部１０には、各リール２を回転させるための可変表示始動手段であるリール回転装置４が設けられ、更に、各リールの回転を停止させるためのリール停止手段である停止ボタン５が各リールに対応して３個設けられている。
【００２１】
また、操作パネル部の右端部には、メダル受皿１３が、投入されたメダルを返却する返却口（図示せず）や入賞時に獲得したメダルを払い出すメダル排出口１４から排出されたメダルを貯留するために設けられている。
【００２２】
第３図を参照して、本発明の第一の実施例であるメダル受皿の開閉手段について説明する。本実施例においては、メダル受皿１３の右側面を移動可能な移動板１７としている。メダル受皿１３がメダルで満杯になり、メダルをドル箱に移す場合には、遊技者はこの移動板１７を上方に引き上げて、その開口部にドル箱を密接させ、メダル受皿内のメダルを一気にドル箱に押し出すことができる。
【００２３】
好ましくは、移動板上端部には遊技者が該移動板を掴み易いように把持部１６を設けるとよい。把持部１６は、移動板の縁端部をＵ字型或いはコの字型に外側に曲折させて張出させたものでもよく、また取手を別途突接してもよい。さらには移動板面の適した位置に開口部を設け、指で引っ掛けて該移動板を任意の方向にスライドさせるようにしてもよい。
【００２４】
メダル受皿の前面右端部及び後面右端部にはそれぞれ案内溝１８ａ及び１８ｂが設けられており、移動板のスライド動作が円滑に行えるようにしている。
【００２５】
第４図に第二の実施例を示す。本実施例は、メダル受皿の右側面下辺部と移動板の下辺部を取付部１９によって蝶着し、移動板の上部を下方に回動するようにしたものである。本実施例においては、下辺部に取付部１９を蝶着しているが、取付部１９の蝶着位置はこれに限るものではなく、他に上辺部、左辺部、右辺部のいずれでもよい。
【００２６】
好ましくは、開いた移動板が閉じられたとき、移動板の両側縁端が当接するメダル受皿の対応する両側面の縁端部に係止部２０を形成する。
【００２７】
該係止部の形状は、メダル排出口１３から排出されるメダルの勢いやメダル受皿に溜まるメダルの押圧力によって、勝手に開いてしまわない程度に係止でき、さらには、遊技者が移動板１７の開閉動作を容易に行えるものであることが好ましい。
【００２８】
第５図に第三の実施例を示す。本実施例では、メダル受皿が隣接する張り出し部１１またはメダル投入口６の下方の遊技機本体側に、移動板１７を収納する収納部２１を設けたものである。収納部２１の上端部及び下端部には摺動させる移動板１７を案内する案内溝２２ａ及び２２ｂを設ける。
【００２９】
【発明の効果】
以上のように、本発明によれば、メダル受皿に移動可能な移動板を設けることにより、メダル受皿がメダルで一杯になった場合に、遊技者は移動板を移動させ、開口部にドル箱を密接させて一気にメダルを掻き出すことができる。また、少量ずつメダルを掴み出してメダルを移動させる手間隙を削減するこができ、さらには、手掴みでメダルを移動させる時に、メダルがこぼれ落ちることを防ぐことができる。
【図面の簡単な説明】
【図１】本発明の実施に係る遊技機を示す斜視図である。
【図２】本発明の実施に係る遊技機の正面図（ａ）及び側面図（ｂ）である
。
【図３】本発明の第一の実施に係るメダル受皿の開閉手段を示す斜視図であ
る。
【図４】本発明の第二の実施に係るメダル受皿の開閉手段を示す斜視図であ
る。
【図５】本発明の第三の実施に係るメダル受皿の開閉手段を示す斜視図であ
る。
【符号の説明】
１…遊技機
２…リール前面パネル
３…表示窓
４…リール回転装置
５…停止ボタン
６…メダル投入口
７…メダル払出機
８…リール制御基板
９…払出制御基板
１０…操作パネル部
１１…張出部
１２…装飾パネル部
１３…メダル受皿
１４…メダル排出口
１５ａ、１５ｂ、１５ｃ…ＢＥＴ表示ランプ
【図１】
2004160107.tif 000003
【図２】
2004160107.tif 000004
【図３】
2004160107.tif 000005
【図４】
2004160107.tif 000006
【図５】
2004160107.tif 000007